(57)【特許請求の範囲】
【請求項１】
植物の栽培のため、種子と培養土からなる発芽地を包み込む袋状または箱状のシートであって、内部に密接する発芽地への注水と発芽地から植物の生育を図るべく備えた切込みを、前記種子を配置した上下同位置の上面および底面に各々一箇所以上設けた第一のシートと、上記発芽地を外部からある程度隔離すべく前記切込みと上下同位置に、前記第一のシートの上面および底面の各々の裏面の切込み口を内側から覆うように接合する第二のシートとを有し、いずれのシートも植物繊維あるいは生分解性素材のいずれかの成形体からなることを特徴とする栽培シート。
【請求項２】
第一のシートの切込みが、直線の中心を軸にして一定間隔毎に直線を複数交差させたいわゆる交差点より放射線状に形成された切込みであって、かつ、中心軸となる当該交差点に直線の切込みに連続して円形の切込みを一箇所設け、さらに、各々の切込みに接合する複数の切込み片を当該円形の切込みに向け同心円状に連続して撓ませ、内部の発芽地方向へすり鉢状に緩やかに下降させるように形成されることで、直線の切込み口及び円形の切込み口に接合する第二のシートへの注水をより効率化させることを特徴とする請求項１に記載の栽培シート。
【発明の詳細な説明】
【技術分野】
【０００１】本発明は、コンパクトなシート内に植物の栽培や作付けの機能を有し、使用後には廃棄物も出さず、誰でも簡単に自然の創出が図れ、環境保全にも貢献をさせるに適した栽培シートに関するものである。
【背景技術】
【０００２】従来の栽培関連用品には、利用者の要求に応じてさまざまな種類や機能、アイデアがあり、あらゆる場面に波及されてはいるが、国内の野菜や花卉の生産は年々減少しており、その一方で、用土、農薬、エネルギー、水、容器、廃棄物といった資源の環境への負荷が問題視されつつあるのが現状である。
【先行技術文献】
【特許文献】
【０００３】
【特許文献１】特開平１１−１８５１１号公報
【特許文献２】特開２００４−４２号公報
【特許文献３】特開２０１１−１９４４５号公報
【発明の概要】
【発明が解決しようとする課題】
【０００４】植物を栽培しやすくした、いわゆる栽培用キットが数多く普及されているが、一般的には植木鉢、培養土、植物の種子などそれぞれの備品に分れており、組み合わせて作業するにはある程度の煩わしさがあった。【０００５】また、水をさすだけで栽培ができるような作業を簡略化した栽培セットも普及されているが、それでも栽培できる植物の種類は限定的であり、何よりも最後まで植木鉢の中での栽培に限られたものがほとんどである。【０００６】また、植木鉢の中から植物の苗を土壌に移植させたり、不要となった栽培容器を処分しなければならないといった煩わしさもあった。【０００７】さらに、植木鉢の土の露出を抑える工夫がされたものがなく、手の中に収まるような小型化されたものもなく、安心して保管ができたり気軽に持ち運んだりできるものが無かった。【０００８】そもそも現状においては、人々に植物の栽培を促し、栽培が環境保全に貢献できるという意識を持たせるような手段が顕在化されていない。【０００９】本発明は、植物の栽培時における作業負担を軽減し、コンパクトで場所を選ばず誰でも簡単に植物の作付けができ、容器本体も土壌に還元できる、栽培作業を極めて簡素化させた栽培シートであり、気軽に利用できることで、人々に自然環境を創出させ、低迷する植物の生産を高め、環境の浄化にも貢献させることを目的とした栽培シートである。
【課題を解決するための手段】
【００１０】この目的を達成するため請求項１では、植物の栽培のため、植物の種子と培養土から構成される発芽地を包み込む袋状または箱状のシートであって、内部に密接する発芽地への注水と発芽地から植物の生育を図るべく備えた切込みを、前記種子を配置した上下同位置の上面および底面に各々一箇所以上設けた第一のシートと、上記発芽地を外部からある程度隔離すべく前記切込みと上下同位置に、前記第一のシートの上面および底面の各々の裏面の切込み口を内側から覆うように接合する第二のシートとを有し、いずれのシートも植物繊維あるいは生分解性素材のいずれかの成形体からなることを特徴とした。【００１１】また、請求項２では、第一のシートの切込みが、直線の中心を軸にして一定間隔毎に直線を複数交差させたいわゆる交差点より放射線状に形成された切込みであって、かつ、中心軸となる当該交差点に直線の切込みに連続して円形の切込みを一箇所設け、さらに、各々の切込みに接合する複数の切込み片を当該円形の切込みに向け同心円状に連続して撓ませ、内部の発芽地方向へすり鉢状に緩やかに下降させるように形成されることで、直線の切込み口及び円形の切込み口に接合する第二のシートへの注水をより効率化させることを特徴とした。
【発明の効果】
【００１２】本体内部の発芽地は第一のシートで袋状にあるいは箱状に包まれることによって、外部に露出せず衛生的であり、利用者は安心して身近に備えることができる。また、小型化や軽量化が図れ、胸ポケットにも入れられるなど、日常的に携帯が可能になる。【００１３】また、第一のシートの上面および底面は、どちらが上方あるいは下方の向きであっても支障はなく、発芽地からは自ずと日の当たる上面には芽が、土壌と接地する底面には根が、それぞれ自然に伸長され、第一のシート本体の上下の向きを気にすることなく安易に栽培に着手できる。【００１４】また、発芽地は注水が少量であっても第一のシートおよび第二のシートで外部からある程度遮断され、各シート内に密接しているため、通常の植木鉢や農耕地の土壌よりも保水能力が高く、また、各シートは発芽地の流出を遮断する一方で植物が第二のシート、第一のシートをそれぞれ押圧し破って解放させる機能も有し、栽培機能を損ねることはない。【００１５】さらに、持ち運びに便利であるため、一度に多量に運搬が図れ、作付けの種まきやボランティアの植樹活動などでも、体を屈ませてシャベルや土に触れることなく、土の上に本体をばらまくだけで、降雨時の水の供給により自然界での栽培を可能にする。【００１６】また、市場においては、コンパクトゆえに大量のストックが可能なことから、様々な種類の種子を内蔵でき、ニーズに合わせて消費者へ広く普及させることができる。【００１７】さらに、取扱いが極めて簡単なため、人々に植物の栽培を安易に促すことができ、自身の栽培で環境保全に貢献できるという意識を啓発させる手段にもなる。
【図面の簡単な説明】
【００１８】
【図１】本発明の栽培シートの使用状態を示す断面図である。
【図２】本発明の他の使用状態の断面図である。
【図３】本発明の平面図および底面図である。
【図４】本発明の斜視図である。
【発明を実施するための形態】
【００１９】本発明は説明上、本体において植物の芽が伸長する方向の面を上面と、植物の根が伸長する方向の面を底面と称しているが、一例として上面、底面の構造が同一でも支障はなく、また、幅、奥行、高さの数値を記しているが、これらの範囲に限定されないものと定義づけ、図面に基づいて詳細に説明すると、図１に示されている３は第一のシート本体を示し、該第一のシート３は、例えば幅３５ｍｍ、奥行３５ｍｍ、高さ１２ｍｍの箱状あるいは袋状またはセロハン状に成形されている。
【００２０】また、第一のシート３に収納する発芽地２の体積は例えば約１５立方ｃｍとし、好ましくはある程度乾燥させた腐葉土や肥料を含有する培養土からなり、一例としてその中心部には植物の種子１を２粒以上備えることが好ましく、さらに、注水された際の発芽地２の保水機能が高まるよう、第一のシート３により袋状に覆い込み、もしくは箱状に包み込む形で外部とある程度隔離させている。
【００２１】また、発芽地２への注水および発芽地２からの植物が生育できるように、第一のシート３の厚みは一例で０．３ｍｍ以下とし、上面と相対する底面に各々一箇所以上、種子１と上下同位置に設けた切込み４を、一例で長さ２０ｍｍの直線の中心を軸に一定間隔毎に直線を複数交差させ、交差点より放射線状に形成し、さらに、中心軸となる当該交差点に直線の切込み４に連続して一例で直径３ｍｍの円形の切込み８を一箇所設けることで連続する切込み４の撓みが増し、各々の切込みに接合する複数の片を撓ませて隙間を生じさせられるように形成させている。
【００２２】また、内側から各々の切込みを覆う第二のシート５への注水をより効率化するため、各々の切込みに接合する複数の切込み片を直線の切込み４から円形の切込み８に向け同心円状に連続して撓ませて緩やかなすり鉢状態にし、円形の切込み８を直線の切込み４より内部の発芽地方向へ次第に下降させるように形成されている。
【００２３】さらに、上面および底面のそれぞれの裏面から各々の切込みを覆うように第一のシート３に接合する、好ましくは一辺３０ｍｍ四方で厚みが０．３ｍｍ以下の第二のシート５を、第一のシート３と発芽地２の間に配置することで、各シート内部に密接する発芽地２の保水機能を高めるとともに種子１や発芽地２が各々の切込みから外部へ流出するのを防ぎ、また、第一のシート３に外部から注水させた際、各直線の切込み４及び円形の切込み８を経由して第二のシート５の表面に水が浸透し、第二のシート５の四方の縁へ拡散し、各シートの断面を経てシート内側に密接する発芽地２へ水を供給できるように、かつ、発芽後の芽部６および根部７が生育の際、それぞれ内側より第二のシート５を押圧して破れるように形成されている。
【００２４】また、素材には土壌に還元しやすいものを使用するのが好ましく、第一のシート３および第二のシート５が自然界で分解する植物繊維、あるいは生分解性素材のいずれかの成形体からなる。この植物繊維の成形に際しては、原料として例えば木材以外にもケナフやバガス、澱粉といったものを使用し、生分解性素材の成形に際しては、例えばキトサン、ポリ乳酸、バイオポリエステルなどの原料から成形させている。
【実施例】
【００２５】このように構成されるシートの使用に際しては、図２に示すように、第一のシート３の上面または底面に水を注入しあるいは水を浸透させることにより、切込み４を経由して第二のシート５の表面に水が浸透し、さらに、第二のシート５の四方の縁へ水が拡散し断面を経て発芽地２へ栽培に必要な水分を補給させ、発芽地２内の培養土が保水されることにより種子１が発芽できるように形成されるのが望ましい。【００２６】次に、図１に示すように、発芽した芽部６が自然に上方に生育し、第一のシート３の上面の裏面の第二のシート５を、根部７が自然に下方に生育し第一のシート３の底面の裏面の第二のシート５を、それぞれの力で内側より押圧して破り、また、その上部に位置する切込み４を、同じくそれぞれの力で内側より押圧し、円形の切込み８と連結する切込み４の撓みが増し、同心円上に連続する複数の片を撓ませて隙間を拡大させ、芽部６および根部７は各々の上面、底面の切込み４および円形の切込み８を貫き、外部との遮断が開放され、芽部６は光合成によりさらに生育を促進し上面方向に伸長され、また、根部７は第一のシート３の底面を土の上に設置させることにより底面方向の土壌内に伸長され土壌内の水分および養分を吸収し、各々植物の本来の環境での生育を更に促進させることができる。【００２７】その後、芽部６が茎となり、根部７が土壌内に根を張り生育が調った場合、発芽地２を覆っていた第一のシート３および第二のシート５は不要となるが、本体を処分する必要はなく、そのまま土壌に残し、第一のシート３および第二のシート５は一定期間を経て自然分解し土壌に還元される。【００２８】尚、上述の実施例で水を注入あるいは水を浸透させる作用を、人為的ではなく自然界の降雨による実施も可能であり、例えば始めから庭地や原野の土壌に配置して実施してもよく、その場合、前記切込み４の同心円上に連続する複数の片が、円周側から中心方向の円形の切込み８へ向け連続して徐々に下方へ撓んでいるので、第一のシート３の上面に付着した雨の水滴が、切込み４および円形の切込み８が形成する緩やかなすり鉢状の窪みに引水され易くなり、雨水をより効果的に発芽地２へ寄せ集めることができる。【００２９】また、上述の実施例を、家庭内のゴミ処理問題で課題となっている包装用容器に当てはめてもよく、例えば自然界で分解する樹脂で成形された包装容器の底板部を取り払い、上述のシート本体を替わりに接合するだけで、不要となるはずの容器が植木鉢の代わりとなり、栽培の後、最後には土に還元され、ゴミとして焼却されないようになる。【００３０】また、例えば上述のシート本体を使用し植物の種子１を大豆で実施した場合、発芽時までに必要とする注水量は、一例としてペットボトルのキャップで１杯分の約７〜８ｃｃを一日一回以上の割合で補給させるのが好ましく、シート本体を土壌に定植する時点の、発芽時までに要する期間は約５日〜１０日間である。【００３１】さらに、上述の実施例を広く周知させ、誰でも簡単に実施できるということを植えつけることにより、人々に植物の栽培を促し、栽培をすることで環境保全に貢献できるという意識を持たせる手段にもなる。
【符号の説明】
【００３２】１  種子
２  発芽地
３  第一のシート
４  切込み
５  第二のシート
６  芽部
７  根部
８  円形の切込み
【図１】
0006697231.tif 000002
【図２】
0006697231.tif 000003
【図３】
0006697231.tif 000004
【図４】
0006697231.tif 000005